(57)【要約】【課題】全周方向からの２段押圧操作の検出を可能とする操作機構を備える撮像装置を提供すること。【解決手段】略円筒状の操作部材と、操作部材と一体で移動する保持部材と、弾性と導電性を有し、略円筒形状であり、保持部材に固定される付勢部材と、第１回路パターン、第２回路パターン、第３回路パターンを有し、操作部材と同軸の円筒状に配置された基板とで構成され、付勢部材の外形部略全周には第１付勢部と第２付勢部と第３付勢部が設け、第１付勢部は常に第１回路パターンと当接し、操作部材を半径方向に第１ストローク移動させることで、第２付勢部を第２回路パターン当接させ、第１回路パターンと第２回路パターンとが導通し、操作部材を半径方向に第２ストローク移動させることで、第３付勢部を第３回路パターンと当接させ、第１回路パターンと第３回路パターンとが導通することで、２段押圧操作を検出する操作機構を備えたことを特徴とする。【選択図】図６
2016174261.tif 000002
【特許請求の範囲】
【請求項１】
筺体に取り付けられ、円形状の操作部材（３）と、前記操作部材（３）と一体で移動する保持部材（１６）と、前記保持部材（１６）に保持され、円形状であり、弾性と導電性を有する付勢部材（１５）と、第１回路パターン、第２回路パターン、第３回路パターンを有し、前記操作部材（３）と同軸の円筒状に配置された基板（１４）とで構成され、前記付勢部材（１５）の外形部の全周に、第１付勢部（１５ａ）、第２付勢部（１５ｂ）、第３付勢部（１５ｃ）が各々均一の高さで形成され、前記第１付勢部（１５ａ）は、常に前記第１回路パターンと当接し、前記第２付勢部（１５ｂ）は、前記操作部材（３）が第１ストロークまで操作された時、第２回路パターンと接触し、前記第３付勢部（１５ｃ）は、前記操作部材（３）が第２ストロークまで操作された時に、第３回路パターンと接触するように構成された操作機構を備えることを特徴とする撮像装置。
【請求項２】
前記保持部材（１５）は、筺体もしくは筺体に固定された部品（１３）に形成された円筒部（１３ｆ）に対して、前記操作部材（３）の第２ストローク以上のクリアランスを空けて挿入されるダボ（１６ｃ）を有することを特徴とする請求項１に記載の撮像装置。
【発明の詳細な説明】
【技術分野】
【０００１】
本発明は、円形操作部材の２段操作検出が可能な操作機構を備えた撮像装置に関する。
【背景技術】
【０００２】
近年、使用者が撮影指示を行う操作部材を筺体前面に備えた撮像装置が存在する。上記操作部材は、撮像光軸を中心とした円筒形状で、筺体前面から突出しているため、使用者が全周方向から指を掛けることができる。しかし、操作部材が操作されたことを検出する内部のスイッチが、１方向の検出しかできないため、操作部材の操作方向は限定されていた。
【０００３】
この問題に対し、本体ケースの４辺の壁部の内面に一対ずつの電極を備え、この本体ケースの内部に保持部と４つの突出部と開口とスリットを有した可撓性の付勢部材を配置し、この付勢部材の保持部の４辺に導電体を備え、付勢部材の開口の内部にスライド部材を嵌め込むことで、スライド部材に連結するキートップを十字方向、及び、これらを合成した方向に操作自在に構成すると共に、これらの方向に操作したことを対応する電極と導電体とが接触して導通状態に達することで検出するスライド操作式スイッチが、特許文献１によって紹介されている。
【先行技術文献】
【特許文献】
【０００４】
【特許文献１】特開２００２−１４０９６０号公報
【発明の概要】
【発明が解決しようとする課題】
【０００５】
しかしながら、上述のスイッチでは、１段の押圧操作しかできず、従来の撮像装置に備えられている操作部材の半押しによる撮影準備動作（測光動作や測距動作等）を設定することができない。
【０００６】
そこで、本発明は、全周方向からの２段押圧操作の検出を可能とする操作機構を備える撮像装置を提供することを目的とする。
【課題を解決するための手段】
【０００７】
上記の目的を達成するために、本発明は、筺体に取り付けられ、略円形状である操作部材と、前記操作部材に固定され一体で移動する保持部材と、前記保持部材に保持され、略円形状であり、弾性・導電性を有する付勢部材と、第１回路パターン、第２回路パターン、第３回路パターンを有し、前記操作部材と同軸の円筒状に配置された基板とで構成され、前記付勢部材の外形部の略全周に、第１付勢部、第２付勢部、第３付勢部が形成され、前記第１付勢部は、常に前記第１回路パターンと接触して、前記操作部材を中立位置に付勢し、前記第２付勢部は、前記操作部材が第１ストロークまで操作された時、第２回路パターンと当接し、前記第３付勢部は、前記操作部材が第２ストロークまで操作された時に、第３回路パターンと当接するように構成された操作機構を備えることを特徴とする。
【発明の効果】
【０００８】
本発明によれば、全周方向からの２段押圧操作の検出を可能とする操作機構を備える撮像装置の提供を実現できる。
【図面の簡単な説明】
【０００９】
【図１】デジタルカメラ外観  斜視図
【図２】操作機構  分解図
【図３】操作機構  部分組立図
【図４】付勢部材  説明図
【図５】操作機構  部分組立図
【図６】操作機構  動作説明図
【発明を実施するための形態】
【００１０】
本発明の好ましい実施の形態を、添付の図面に基づいて詳細に説明する。尚、以下に説明する実施の形態は、本発明の実現手段としての一例であり、本発明は、その趣旨を逸脱しない範囲で下記実施形態を修正又は変形したものに適用可能である。
【００１１】
［実施例１］
図１は本発明の実施形態であるデジタルカメラ１本体の外観図である。図１（ａ）は本体前面側斜視図であり、図１（ｂ）は、本体背面側斜視図である。デジタルカメラ１の筐体前面には、被写体像を撮像素子に結像する沈胴式の光学系撮影レンズ鏡筒２が備わっている。
【００１２】
撮影レンズ鏡筒２には、光学像を光電変換して画像デ−タを生成するＣＣＤやＣＭＯＳイメ−ジセンサ等の撮像素子（不図示）が実装されている。撮像素子（不図示）で生成した画像デ−タは、デジタルカメラ１に実装された信号処理基板（不図示）の処理回路によりデジタル情報に変換される。
【００１３】
信号処理基板には、カードＩ／Ｆ等を含む記録媒体スロットや撮像部、画像処理部、システム制御部、シリアルＩ／Ｆ等が実装されている。撮影レンズ鏡筒２の外周には、撮像準備および撮像操作の指示を行うレリーズリング３が設けられている。レリーズリング３は、撮影レンズ鏡筒２の光軸を中心とした円筒形状であり、図１にて矢印で示したように全周方向に２段押圧操作が可能となっている。レリーズリング３を半押し操作すると、撮影準備動作（測光動作や測距動作等）が開始される。レリーズリング３を全押し操作すると、被写体を撮影し、収納室に挿着した記録媒体に被写体像の画像デ−タを記録する。
【００１４】
レリーズリング３の光軸後方には、撮影レンズ鏡筒２の光軸を中心に所定の角度で回動し、撮影画角の変更を行うズームリング４が配置されている。デジタルカメラ１の筺体前面から見て時計回りに回転させると、撮影レンズ鏡筒２がワイド側（画角が広がる方向）にズ−ム動作を行い、逆に反時計回りに回転させると撮影レンズ鏡筒２がテレ側（画角が狭くなる方向）にズ−ム動作を行う。
【００１５】
デジタルカメラ１の筺体側面には、デジタルカメラ１の電源オンとオフの操作を行う電源ボタン５が配置されている。その反対側面には、信号の入出力用ジャック（不図示）が設けられ、ジャック保護用のカバー部品６で覆われている。カバー部品６を開くことで入出力用ジャックへのケーブル類の抜き差しが可能となる。さらに、各種撮影モードの切り替えを行うモードレバー７が設けられる。モードレバー７はデジタルカメラ１の筺体に対し、並進可能に支持されている。モードレバー７の上部には、各種の撮影モードに応じた指標(不図示)が印刷されており、モードレバー７を指標の位置に合わせることで、指標に応じた撮影モードの設定を行うことができる。
【００１６】
デジタルカメラ１の筺体背面には、撮影前のスルー画像や、撮影画像、各種撮影条件を表示する液晶表示部８が設けられる。液晶表示部８には、タッチセンサーが内蔵され、撮影条件の変更、液晶表示部８の表示形式の変更といった機能を選択する際に利用する。
【００１７】
また液晶表示部８は、デジタルカメラ１の筺体上部に設けられた回転軸を中心として、９０°の範囲で回動させることができ、筺体上面側からの液晶表示部８の視認性を向上させ、様々な筺体保持方法を提供している。
【００１８】
デジタルカメラ１の筺体底面には、電池蓋９、記録媒体蓋１０があり、各々電池、記録媒体を収納する収納室を開閉可能としている。電池蓋９、記録媒体蓋１０を開くことで、収納室が開口し、電池、記録媒体が挿脱可能になる。
【００１９】
図２はレリーズリング３の操作機構の分解図である。レリーズリング３の操作機構は、レリーズリング３、フロントカバー１１、インナーフロント１３、フレキシブル基板１４、付勢部材１５、インナーリング１６で構成されている。なお、説明のため、ズームリング４は省略している。
【００２０】
図３はレリーズリング３の操作機構の部分組立図であり、図３（ａ）は筺体前面側からの斜視図であり、図３（ｂ）は筺体内部側からの斜視図である。フロントカバー１１は、デジタルカメラ１の前面側外装部品であり、撮影レンズ鏡筒２や、内部部品の一部を通過させるために、撮影レンズ鏡筒２の光軸を中心とした円状の穴が形成されている。
【００２１】
インナーフロント１３は既知の樹脂で成形されたモールド部品であり、両面テープ１２によりフロントカバー１１の内部面に固定され、一体化される。インナーフロント１３には、後述する第１摺動リブ１３ａ、第２摺動リブ１３ｂ、第１ダボ１３ｃ、浮き防止リブ１３ｄ、第２ダボ１３ｅ，回転止め筒１３ｆが形成されている。第１摺動リブ１３ａは、図３（ａ）に示すように、撮影レンズ鏡筒２の光軸を中心とした円筒形状であり、その先端をフロントカバー１１の円状の穴から突出させている。
【００２２】
フレキシブル基板１４は、長手方向に沿って、第１回路パターン，第２回路パターン、第３回路パターンの３つの回路パターンを有しており、不図示の信号処理基板に接続されている。第１回路パターンと第２回路パターン、第１回路パターンと第３回路パターンとが導通した時、信号処理基板により検出を行うことができる。
【００２３】
フレキシブル基板１４は、図３（ｂ）に示すように、インナーフロント１３に形成された撮影レンズ鏡筒２の光軸を中心とした円筒形状である第２摺動リブ１３ｂの内壁に固定される。その固定方法は、まず、フレキシブル基板１４の一端に形成した穴を第１ダボ１３ｃに圧入する。次に第２摺動リブ１３ｂに設けた切り欠き部から、第２摺動リブ１３ｂの内側に通し、複数設けられた浮き防止リブ１３ｄと第２摺動リブ１３ｂとの間に挟みこむ。最後に、切り欠き部から第２摺動リブ１３ｂの外側に戻し、フレキシブル基板１４の途中に設けた穴を第２ダボ１３ｅに圧入して固定が完了する。
【００２４】
図４（ａ）は付勢部材１５の部分拡大図である。図４（ｂ）は付勢部材１５とインナーリング１６との組立状態の斜視図である。付勢部材１５は、円筒形状であり、弾性と導電性を有する導電性ゴムで成形されている。その外周部の略全周には、第１付勢部１５ａ、第２付勢部１５ｂ、第３付勢部１５ｃが間隔を空け、形成されている。第１付勢部１５ａが最も凸量が大きく，第２摺動リブ１３ｂに固定されたフレキシブル基板１４の円筒部分と略同一径で形成される。第３付勢部１５ｃは最も凸量が小さく、第２付勢部１５ｂは中間の凸量に設定され、各々の凸量は全周均一である。
【００２５】
第１付勢部１５ａと第２付勢部１５ｂとの凸量の差が、レリーズリング３の半押し操作のストロークとなり、第２付勢部１５ｂと第３付勢部１５ｃとの凸量の差が、レリーズリング３の半押し操作から全押し操作までのストロークとなる。付勢部材１５は、インナーリング１６の円筒部に対して、撓ませながら組み込み、図４（ｂ）に示すように、爪１５ｄがインナーリング１６に形成された穴１６ａに掛かることで固定される。
【００２６】
インナーリング１６とレリーズリング３は、フロントカバー１１やインナーフロント１３を挟むように組まれ、図５に示すように、レリーズリング３の爪３ａとインナーリング１６のフック１６ａが掛かることで固定される。なお、図５では、説明のため、フロントカバー１１等は省略している。その時、レリーズリング３を第１摺動リブ１３ａと当接させ、インナーリング１６を第２摺動リブ１３ｂと当接させることで、レリーズリング３のスラスト方向の移動を制限している。
【００２７】
次に、図６を用いて、レリーズリング３の２段押圧操作の検出方法について説明する。図６（ａ）は操作機構の組立状態である。図６（ｂ），図６（ｃ），図６（ｄ）は図６（ａ）の断面Ａ−Ａであり、各々レリーズリング３の非操作時、図下側からの半押し操作検出時、図下側からの全押し操作検出時のフレキシブル基板１４と付勢部材１５との位置関係を示した図である。
【００２８】
組立状態において、第１付勢部１５ａは、付勢部材１５の周方向でフレキシブル基板１４の第１回路パターンと対向する位置に配置される。同様に第２付勢部１５ｂは、第２回路パターンに周方向で対向する位置、第３付勢部１５ｃは、第３回路パターンと周方向で対向する位置に配置される。
【００２９】
レリーズリング３の非操作時では、図６（ｂ）に示すように、第１付勢部１５ａのみがフレキシブル基板１４の第１回路パターンに当接し、第２付勢部１５ｂと第３付勢部１５ｃは、フレキシブル基板１４に当接していない。そのため、第１回路パターンは、他の回路パターンと導通していないので、レリーズリング３の操作検出は行われない。また、第１付勢部１５ａは略全周でフレキシブル基板１４に当接し、レリーズリング３を中立位置に付勢している。
【００３０】
レリーズリング３の図下側からの半押し操作時では、図６（ｂ）に示すように、付勢部材１５がレリーズリング３の半押し操作量移動した状態であり、第１付勢部１５ａに加え、第２付勢部１５ｂがフレキシブル基板１４の第２回路パターンに当接する。この時、付勢部材１５は導電性を有しているため、第１回路パターンと第２回路パターンとが導通し、半押し操作の検出を行うことができる。
【００３１】
レリーズリング３の図下側からの全押し操作時では、図６（ｃ）に示すように、付勢部材１５がレリーズリング３の全押し操作量移動した状態であり、第１付勢部１５ａと第２付勢部１５ｂに加え、第３の付勢部１５ｃがフレキシブル基板１４の第３回路パターンと当接する。この時、第１回路パターンと第３回路パターンとが導通し、全押し操作の検出を行うことができる。この時、半押し操作状態から、第２付勢部１５ｂが押し込まれることで、付勢力が上がり、レリーズリング３の操作力が重くなるため、半押し操作と全押し操作は、その操作力の違いで区別することができる。
【００３２】
上記操作時の説明は、レリーズリング３の下側からの操作を例として行った。レリーズリング３は、非操作時、撮影レンズ鏡筒２の光軸が中心となるように付勢されるため、第２付勢部１５ｂ、第３付勢部１５ｃとフレキシブル基板１４とのクリアランスが各々全周方向で均一となる。そのため、他の周方向からの操作についても、その操作方向の１８０°反対位置にて、図６の断面Ａ−Ａ同様の動作が可能であり、結果、全周囲から操作可能な操作部材を提供可能となった。
【００３３】
次に、レリーズリング３の回転止めについて説明する。レリーズリング３の回転止めは、インナーフロント１３に形成された回転止め筒１３ｆと、インナーリング１６に形成された回転止めダボ１６ｃとで構成される。組立時、回転止めダボ１６ｃを回転止め筒１３ｆに挿入し、回転止め筒１３の内面部に回転止めダボ１６ｃが当接することで、回転止めを行う。ただし、レリーズリング３が全周方向に２段目のストローク移動できる必要があるため、非操作時の回転止め筒１３の内径と回転止めダボ１６ｃとのクリアランスを、全押し操作までのストローク以上に設定する必要がある。
【００３４】
上記の構成により、全周方向からの２段押圧操作の検出を可能とする操作部材を筺体前面部に備える撮像装置を提供することが可能となった。
【符号の説明】
【００３５】
１：デジタルカメラ、２：撮影レンズ鏡筒、３：レリーズリング、３ａ：爪、
４：ズームリング、５：電源ボタン、６：カバー部品、７：モードレバー、
８：液晶表示部、９：電池蓋、１０：記録媒体蓋、１１：フロントカバー、
１２：両面テープ、１３：インナーフロント、１３ａ：第１摺動リブ、
１３ｂ：第２摺動リブ、１３ｃ：第１ダボ、１３ｄ：浮き防止リブ、１３ｅ：第２ダボ、
１３ｆ：回転止め筒、１４：フレキシブル基板、１５：付勢部材、
１５ａ：第１付勢部、１５ｂ：第２付勢部、１５ｃ：第３付勢部、１５ｄ：爪、
１６：インナーリング、１６ａ：穴、１６ｂ：フック、１６ｃ：回転止めダボ
【図１】
2016174261.tif 000003
【図２】
2016174261.tif 000004
【図３】
2016174261.tif 000005
【図４】
2016174261.tif 000006
【図５】
2016174261.tif 000007
【図６】
2016174261.tif 000008